(57)【要約】【課題】　紙幣投入口を開いたとき、紙幣投入口内が良く見えて顧客操作性を向上させる紙幣入出金機を提供する。【解決手段】　入金時には顧客が入金紙幣を入れ、出金時には装置内から繰り出される出金紙幣を入れる紙幣投入部２のシャッタ５を駆動して紙幣投入口４を開いたときに点灯する照明ランプ６を紙幣投入部２内の左右に設ける。【選択図】　　　　図１
2004139614.tif 000002
【特許請求の範囲】
【請求項１】
　入金時には顧客が入金紙幣が入れられ、出金時には装置内から繰り出される紙幣が入れられる紙幣投入部を有する紙幣入出金機において、
　前記紙幣投入部内の左右に照明ランプを設けたことを特徴とする紙幣入出金機。
【請求項２】
　入金時には顧客が入金紙幣が入れられ、出金時には装置内から繰り出される紙幣が入れられる紙幣投入部を有し、該紙幣投入部はシャッタにより開閉される紙幣投入口を有する紙幣入出金機において、
　前記紙幣投入部内に配置された照明ランプを設け、
　前記照明ランプは、前記シャッタを駆動して前記紙幣投入口を開いた時に点灯され、前記紙幣投入口が閉じられた時に消灯されることを特徴とする紙幣入出金機。
【請求項３】
　前記照明ランプは、入金時および出金時において、前記紙幣投入口を開いた時に点灯する請求項２記載の紙幣入出金機。
【発明の詳細な説明】
【技術分野】
【０００１】
　本発明は紙幣を入出金する紙幣入出金機に関する。
【背景技術】
【０００２】
　従来、紙幣入出金機として、例えば、金融機関の店舗に設けられるＡＴＭ（Ａｕｔｏｍａｔｅｄ Ｔｅｌｌｅｒｓ Ｍａｃｈｉｎｅ）がある。ＡＴＭには、シャッタを駆動して紙幣投入口を開閉し、入金時には顧客が入金紙幣を入れ、出金時には装置内から繰り出される出金紙幣を入れる紙幣投入部が設けてある。紙幣投入部は顧客から見て奥行きがある。
【特許文献１】特開昭６３−１４９７８６号公報
【発明の開示】
【発明が解決しようとする課題】
【０００３】
　しかしながら、従来の紙幣入出金機にあっては、入金時、紙幣投入口が開いても顧客には紙幣投入部内が暗くて見難く、出金時には、たとえ紙幣が紙幣投入部に繰り出されても暗いので顧客には出金紙幣が見え難いことから紙幣の一部を取り忘れるという問題点があった。
　本発明はシャッタを駆動して紙幣投入口を開いたとき、紙幣投入部内が良く見えて顧客操作性を向上させる紙幣入出金機を提供することを目的としている。
【課題を解決するための手段】
【０００４】
　上記課題を解決するために本発明は、入金時には顧客が入金紙幣が入れられ、出金時には装置内から繰り出される紙幣が入れられる紙幣投入部を有する紙幣入出金機において、前記紙幣投入部内の左右に照明ランプを設けたことを特徴とするものである。
【発明の効果】
【０００５】
　紙幣投入部内に照明ランプを設けたことにより、入出金時、紙幣投入口が開いたとき、顧客には紙幣投入部内が良く見えて顧客操作性を向上させる。特に、照明ランプが左右に設けられているので、照明ランプの光が手で遮られることがなく、紙幣投入部内を明るく保つことができる効果がある。
【発明を実施するための最良の形態】
【０００６】
　本発明の実施の形態について図面を参照しながら説明する。尚、各図面に共通な要素には同一符号を付す。
【０００７】
　第１の実施の形態
　図１は図２に示した紙幣投入部の外観斜視図、図２は一部破断部を含む紙幣入出金機の側面図、図３は図１に示した紙幣投入部のＡ−Ａ断面矢視図である。
　紙幣入出金機として、例えば、金融機関の店舗に設けられるＡＴＭ（Ａｕｔｏｍａｔｅｄ　Ｔｅｌｌｅｒｓ　Ｍａｃｈｉｎｅ）がある。
　ＡＴＭ１には、入金時には顧客が入金紙幣を入れ、出金時には装置内から繰り出される出金紙幣を入れる紙幣投入部２、顧客が操作する操作部３が設けてある。
　紙幣投入部２には、図１及び図３に示すように、紙幣投入口４を開閉するシャッタ５、投入部内を照らす単色光による照明ランプ６、紙幣７の有無を検出する発光素子８ａと受光素子８ｂとからなる紙幣センサ８等が配設してある。照明ランプ６、紙幣センサ８はそれぞれ紙幣の幅に対応させて紙幣投入部２内の左右に設けてある。照明ランプ６としては、例えば、発光ダイオードを使用する。
　図４は紙幣入出金機の制御ブロック図である。中央処理装置１０（以後ＣＰＵ１０と記載する）にはメモリ１１、入出力ポート１２がバスライン１３，１４により接続され、入出力ポート１２にはライン１５〜２０を通じてシャッタ開閉モータ２１、照明ランプ６、紙幣センサ８、操作部３、紙幣取扱機構２２、タイマ２３が接続されている。
【０００８】
　次に動作について図５、図６を参照して説明する。図５は入金動作を示すフローチャート、図６は出金動作を示すフローチャートであり、ＣＰＵ１０の動作である。
　先ず入金動作を図５を参照して説明する。ステップＳ１で操作部３を通じ、顧客が入金取引を選択したか否かをチェックしており、入金取引を選択した場合にはステップＳ２に進む。
　ステップＳ２でカードが図示せぬカード挿入口に挿入されたか否かをチェックしており、カードが図示せぬカード挿入口に挿入された場合にはステップＳ３に進む。
　ステップＳ３で操作部３を通じ、顧客が暗証番号を入力したか否かをチェックしており、顧客が暗証番号を入力した場合にはステップＳ４に進む。
　ステップＳ４でシャッタ開閉モータ２１を回転駆動させ、シャッタ５を矢印Ｂ方向に移動させて紙幣投入口４を開く。
　ステップＳ５で照明ランプ６を点灯し、紙幣投入部２内を照らす。
　ステップＳ６でタイマ２３を設定し、スタートさせる。
　ステップＳ７で紙幣センサ８を通じ、顧客が紙幣７を入金したか否かをチェックしており、顧客が紙幣７を入金した場合にはステップＳ８に分岐し、否の場合にはステップＳ１１に分岐する。
【０００９】
　ステップＳ８でシャッタ開閉モータ２１を回転駆動させ、シャッタ５を矢印Ｃ方向に移動させて紙幣投入口４を閉じ、照明ランプ６を消灯する。
　ステップＳ９で紙幣取扱機構２２を通じて紙幣を装置内に取り込み、入金紙幣を計数し、図示せぬ金庫に取り込む。
　ステップＳ１０でカードを図示せぬカード挿入口に返却して処理を終了する。
　ステップＳ７からステップＳ１１に分岐した場合にはタイムアウトか否かをチェックし、タイムアウトならばステップＳ１２に進み、否ならばステップＳ７に戻る。
　ステップＳ１２で照明ランプ６を点滅させ、ステップＳ１３でタイマ２３を設定し、スタートさせる。
　ステップＳ１４でタイムアウトか否かをチェックし、タイムアウトならばステップＳ１５に進む。
　ステップＳ１５でシャッタ開閉モータ２１を回転駆動させ、シャッタ５を矢印Ｃ方向に移動させて紙幣投入口４を閉じ、照明ランプ６を消灯してステップＳ１０に進む。
【００１０】
　次に出金動作を図６を参照して説明する。
　ステップＳ２１で操作部３を通じ、顧客が出金取引を選択したか否かをチェックしており、出金取引を選択した場合にはステップＳ２２に進む。
　ステップＳ２２でカードが図示せぬカード挿入口に挿入されたか否かをチェックしており、カードが図示せぬカード挿入口に挿入された場合にはステップＳ２３に進む。
　ステップＳ２３で操作部３を通じ、顧客が暗証番号を入力したか否かをチェックしており、顧客が暗証番号を入力した場合にはステップＳ２４に進む。
　ステップＳ２４で操作部３を通じ、顧客が出金額を入力したか否かをチェックしており、顧客が出金額を入力した場合にはステップＳ２５に進む。
　ステップＳ２５で紙幣取扱機構２２を通じて紙幣を図示せぬ金庫から繰り出すとともに出金紙幣を計数して紙幣投入部２に取り込む。
　ステップＳ２６でカードを図示せぬカード挿入口に返却する。
　ステップＳ２７でシャッタ開閉モータ２１を回転駆動させ、シャッタ５を矢印Ｂ方向に移動させて紙幣投入口４を開く。
【００１１】
　ステップＳ２８で照明ランプ６を点灯し、紙幣投入部内を照らす。
　ステップＳ２９でタイマ２３を設定し、スタートさせる。
　ステップＳ３０で紙幣センサ８を通じ、顧客が紙幣６を受け取ったか否かをチェックしており、顧客が紙幣６を受け取った場合にはステップＳ３１に進み、否の場合にはステップＳ３２に分岐する。
　ステップＳ３１でシャッタ開閉モータ２１を回転駆動させ、シャッタ５を矢印Ｃ方向に移動させて紙幣投入口４を閉じ、照明ランプ６を消灯し、処理を終了する。
　ステップＳ３２でタイムアウトか否かをチェックし、タイムアウトならばステップＳ３３に進み、否ならばステップＳ３０に戻る。
　ステップＳ３３で照明ランプ６を点滅させ、ステップＳ３４でタイマ２３を設定し、スタートさせる。
　ステップＳ３５でタイムアウトか否かをチェックし、タイムアウトならばステップＳ３１に進む。
【００１２】
　尚、本実施の形態では照明ランプ、紙幣センサをそれぞれ紙幣の幅に対応させて紙幣投入部内の左右に設けたが、照明ランプの一個を紙幣センサの発光素子と兼用させてもよい。この場合部品個数の削減となる。
　第１の実施の形態によれば、紙幣投入口を開いたとき点灯する照明ランプを紙幣投入部内に設けたことにより、入出金時、顧客には紙幣投入部内が良く見えて顧客操作性を向上させる。
　また、入金時、紙幣投入口を開き、所定時間経過しても紙幣投入部内に紙幣がない場合、あるいは出金時、紙幣投入口を開き、所定時間経過しても紙幣投入部内に紙幣がある場合には照明ランプを所定時間点滅させて顧客に注意を促したのち紙幣投入口を閉じるようにしたので、紙幣投入部への紙幣投入タイミング遅れに基づく顧客による入金操作のやり直し、行員による出金紙幣の取り出しに基づくマシンダウンを防止できる。
【００１３】
　第２の実施の形態
　図７は第２の実施の形態による照明ランプ配置図である。第１の実施の形態では、照明ランプ６をそれぞれ紙幣７の幅に対応させて紙幣投入部２内の左右に１個設けたが、第２の実施の形態では、左右にそれぞれ複数個、例えば２個６ａ，６ｂ、６ｃ，６ｄ設けてある。照明ランプ６ａ，６ｃは赤色を発光し、照明ランプ６ｂ，６ｄは緑色を発光する。
　次に動作について説明する。装置全体の動作は第１の実施の形態と同じであり、異なるのは、第１の実施の形態では、入金時、紙幣投入口を開き、所定時間経過しても紙幣投入部内に紙幣がない場合、あるいは出金時、紙幣投入口を開き、所定時間経過しても紙幣投入部内に紙幣がある場合には照明ランプを所定時間点滅させて顧客に注意を促したが、第２の実施の形態では、赤色を発光する照明ランプ６ａ，６ｃは第１の実施の形態で説明した点滅時に点灯して点滅し、緑色を発光する照明ランプ６ｂ，６ｄは第１の実施の形態で説明した入出金時、紙幣投入口を開き、タイムアウトするまでの間点灯する。
　第２の実施の形態によれば、照明ランプのカラー化により、視認性を高め、顧客操作性を向上させる。
【００１４】
　第３の実施の形態
　図８は第３の実施の形態による照明ランプ配置図である。第１の実施の形態では、照明ランプ６をそれぞれ紙幣の幅に対応させて紙幣投入部内の左右に１個設けたが、第３の実施の形態では、左右にそれぞれ複数個、例えば３個６ａ〜６ｃ，６ｄ〜６ｆ設けてある。
　次に動作について図９を参照して説明する。図９は図８に示した照明ランプの点灯パターンを示す説明図である。装置全体の動作は第１の実施の形態と同じであり、異なるのは、第１の実施の形態では、入金時、紙幣投入口を開き、所定時間経過しても紙幣投入部内に紙幣がない場合、あるいは出金時、紙幣投入口を開き、所定時間経過しても紙幣投入部内に紙幣がある場合には照明ランプを所定時間点滅させて顧客に注意を促したが、第３の実施の形態では、タイマにより点灯時間を制御して、図９に示すように順番に点灯させ、顧客へのシグナルを構成する。
　即ち、最初は図９（Ａ）に示すように、照明ランプ６ａ，６ｆを点灯し、次に図９（Ｂ）に示すように、照明ランプ６ｂ，６ｅを点灯し、次に図９（Ｃ）に示すように、照明ランプ６ｃ，６ｄを点灯する。
【００１５】
　第３の実施の形態によれば、紙幣投入部内の左右にそれぞれ複数個設け、順番に点灯させて顧客へのシグナルを構成するようにしたことにより、視認性を高め、顧客操作性を向上させる。
　尚、第１〜第３の実施の形態では、紙幣投入口を開いたとき照明ランプを点灯するようにしたが、装置が稼動している間、常時点灯しているようにしてもよい。また、照明ランプの輝度については記載しなかったが、入出金時、紙幣投入口を開き、タイムアウトするまでの間よりも顧客に注意を促す点滅時に輝度を高め、明るくするようにしてもよい。この場合さらに視認性を高め、顧客操作性を向上させる。
【図面の簡単な説明】
【００１６】
【図１】第１の実施の形態の紙幣投入部の外観斜視図である。
【図２】一部破断部を含む紙幣入出金機の側面図である。
【図３】図１に示した紙幣投入部のＡ−Ａ断面図である。
【図４】紙幣入出金機の制御ブロック図である。
【図５】入金動作を示すフローチャートである。
【図６】出金動作を示すフローチャートである。
【図７】第２の実施の形態による照明ランプ配置図である。
【図８】第３の実施の形態による照明ランプ配置図である。
【図９】図８に示した照明ランプの点灯パターンを示す説明図である。
【符号の説明】
【００１７】
　１　ＡＴＭ
　２　紙幣投入部
　５　シャッタ
　６、６ａ〜６ｆ　照明ランプ
【図１】
2004139614.tif 000003
【図２】
2004139614.tif 000004
【図３】
2004139614.tif 000005
【図４】
2004139614.tif 000006
【図５】
2004139614.tif 000007
【図６】
2004139614.tif 000008
【図７】
2004139614.tif 000009
【図８】
2004139614.tif 000010
【図９】
2004139614.tif 000011